(57)【要約】【課題】  ダッシュボード付近の壁面に対して他の機能部品の使用を阻害しないテーブル装置を提供する。【解決手段】  テーブル装置３として、車両壁面２に形成されてなる取付け部４と、該取付け部４に着脱自在なる取付け用ブラケット６と、所定の左右幅及び奥行きを有する平板状に形成されてなり且つ該取付け用ブラケット６に一端部側が略水平に支持されてなるテーブル部５とから構成されてなる。【選択図】        図１
2005193855.tif 000002
【特許請求の範囲】
【請求項１】
車両壁面（２）に形成されてなる取付け部（４）と、該取付け部（４）に着脱自在なる取付け用ブラケット（６）と、所定の左右幅及び奥行きを有する平板状に形成されてなり且つ該取付け用ブラケット（６）に一端部側が略水平に支持されてなるテーブル部（５）とから構成されてなることを特徴とするテーブル装置。
【請求項２】
請求項１に記載のテーブル装置（３）であって、
テーブル部（５）には、トレイ（７）を位置移動自在に設けられていることを特徴とするテーブル装置。
【請求項３】
請求項１又は請求項２に記載のテーブル装置であって、
テーブル部（５）には、容器（９）を支持可能なカップホルダー部（８）が配設されてなることを特徴とするテーブル装置。
【請求項４】
請求項３に記載のテーブル装置であって、
前記カップホルダー部（８）は、容器（９）の側部（９ａ）を支持可能なるように前記テーブル部（５）に形成された貫通孔（１０）と、前記容器（９）の底部（９ｂ）を支持可能なるように前記テーブル部（５）から下方に移動可能に支持されたアーム部（１２）とより少なくとも構成されてなることを特徴とするテーブル装置。
【請求項５】
請求項１乃至４の何れか１項に記載のテーブル装置であって、
テーブル部（２０）は、折りたたみ自在に形成されてなることを特徴とするテーブル装置。
【請求項６】
請求項１乃至５の何れか１項に記載のテーブル装置であって、
取付け用ブラケット（２５）は、折りたたみ自在に形成されてなることを特徴とするテーブル装置。
【請求項７】
請求項１に記載のテーブル装置であって、
テーブル部（３０）は、左右幅に対して前後幅が略半分に形成されてなり、該テーブル部（３０）の下面にカップホルダー部（３１）が吊設されていて、乗員の手前側に引出可能に構成されてなることを特徴とするテーブル装置。
【請求項８】
請求項１乃至６の何れか１項に記載のテーブル装置であって、
トレイ（３５）には、格納式且つ可動式の第２トレイ（３６）を設けたことを特徴とするテーブル装置。
【請求項９】
請求項１乃至６及び８の何れか１項に記載のテーブル装置であって、
テーブル部（４０）には、車両壁面（２）に形成されてなる係合部（４２）に係合離脱自在なるロック部材（４１）を設けたことを特徴とするテーブル装置。
【発明の詳細な説明】
【技術分野】
【０００１】
本発明は、車両のダッシュボード付近の壁面などに取り付けられるテーブル装置に関する。
【背景技術】
【０００２】
従来の車両のダッシュボード付近の壁面などに取り付けられるテーブル装置としては、車両壁面側に適宜離間して平行に取り付けられた立設ブラケットと、該立設ブラケットの間に基端部側が回動可能に軸支されたテーブル部と、該テーブル部の基端部側から離間した底面側に回動可能に軸支されたプレートと、該プレートの遊端側に弾性的に進退可能に装着されたロックピンと、前記立設ブラケットの内側に装着され且つその内側に前記ロックピン用の誘導溝が形成されてなると共に該誘導溝内に前記ロックピン用のロック部及びロック解除部が形成されてなるガイド部材とから構成されてなり、ワンタッチで持ち上げたり押し下げたりすることで簡単且つ迅速な使用状態が確保できるものがある（例えば、特許文献１。）。
【特許文献１】特開２０００−１７７４６７号公報
【発明の開示】
【発明が解決しようとする課題】
【０００３】
しかしながら、このような従来の構造にあっては、テーブルとしての機能、即ち、物を載せる機能に限定され、テーブルを使用しない状態では、ダッシュボード付近の壁面を覆うことになり、ダッシュボード付近の壁面に配設された他の機能部品の使用を阻害するおそれがある。
【０００４】
本発明は、このような従来の技術に着目してなされたものであり、ダッシュボード付近の壁面に対して他の機能部品の使用を阻害しないテーブル装置を提供するものである。
【課題を解決するための手段】
【０００５】
請求項１に記載の発明は、テーブル装置が、車両壁面に形成されてなる取付け部と、該取付け部に着脱自在なる取付け用ブラケットと、所定の左右幅及び奥行きを有する平板状に形成されてなり且つ該取付け用ブラケットに一端部側が略水平に支持されてなるテーブル部とから構成されてなることを特徴とする。
【０００６】
請求項２に記載の発明は、請求項１に記載のテーブル装置であって、テーブル部には、トレイを位置移動自在に設けられていることを特徴とする。
【０００７】
請求項３に記載の発明は、請求項１又は請求項２に記載のテーブル装置であって、テーブル部には、容器を支持可能なカップホルダー部が配設されてなることを特徴とする。
【０００８】
請求項４に記載の発明は、請求項３に記載のテーブル装置であって、前記カップホルダー部は、容器の側部を支持可能なるように前記テーブル部に形成された貫通孔と、前記容器の底部を支持可能なるように前記テーブル部から下方に移動可能に支持されたアーム部とより少なくとも構成されてなることを特徴とする。
【０００９】
請求項５に記載の発明は、請求項１乃至４の何れか１項に記載のテーブル装置であって、テーブル部は、折りたたみ自在に形成されてなることを特徴とする。
【００１０】
請求項６に記載の発明は、請求項１乃至５の何れか１項に記載のテーブル装置であって、取付け用ブラケットは、折りたたみ自在に形成されてなることを特徴とする。
【００１１】
請求項７に記載の発明は、請求項１に記載のテーブル装置であって、テーブル部は、左右幅に対して前後幅が略半分に形成されてなり、該テーブル部の下面にカップホルダー部が吊設されていて、乗員の手前側に引出可能に構成されてなることを特徴とする。
【００１２】
請求項８に記載の発明は、請求項１乃至６の何れか１項に記載のテーブル装置であって、トレイには、格納式且つ可動式の第２トレイを設けたことを特徴とする。
【００１３】
請求項９に記載の発明は、請求項１乃至６及び８の何れか１項に記載のテーブル装置であって、テーブル部には、車両壁面に形成されてなる係合部に係合離脱自在なるロック部材を設けたことを特徴とする。
【発明の効果】
【００１４】
請求項１に記載の発明によれば、車両壁面に形成されてなる取付け部に、テーブル部の取付け用ブラケットが着脱自在であるため、ダッシュボード付近の壁面に対して他の機能部品の使用を阻害しないことになる。該テーブル部は、略水平に支持されてなるため、従来同様物を安定的に載せる機能を維持できる。
【００１５】
請求項２に記載の発明によれば、請求項１に記載の発明の効果に加え、テーブル部には、トレイを位置移動自在に設けられているため、テーブル部とトレイと区別できることになり、載せた物が雑多にならず、整理整頓ができる。
【００１６】
請求項３に記載の発明によれば、請求項１に記載の発明の効果に加え、テーブル部には、容器を支持可能なカップホルダー部が配設されてなるため、任意に容器を支持できる。また、請求項２に記載の発明の効果に加え、トレイに上に物を載せつつ任意に容器を支持できる。
【００１７】
請求項４記載の発明によれば、請求項３に記載の発明の効果に加え、貫通孔とアーム部とより、前記カップホルダー部が少なくとも構成されてなるため、容器を貫通孔に挿入すれば、容器の側部を貫通孔が支持できるので、容器が倒れないことになる。また、常時前記テーブル部に支持されたアーム部が容器の重みで下方に移動するので、上下高さが高い容器でもしっかりと支持できる。
【００１８】
請求項５に記載の発明によれば、請求項１乃至４の何れか１項に記載の発明の効果に加え、テーブル部は、折りたたみ自在に形成されてなるため、収納時のサイズが小型化でき、収納場所の制約条件を減らすことができる。
【００１９】
請求項６に記載の発明によれば、請求項１乃至５の何れか１項に記載の発明の効果に加え、取付け用ブラケットは、折りたたみ自在に形成されてなるため、収納時のサイズが小型化でき、収納場所の制約条件を減らすことができる。
【００２０】
請求項７に記載の発明によれば、請求項１に記載の発明の効果に加え、テーブル部は、左右幅に対して前後幅が略半分に形成されてなり、該テーブル部の下面にカップホルダー部が吊設されていて、乗員の手前側に引出可能に構成されてなるため、ダッシュボードからの突出量が少ないので、物を載置する機能を維持しつつ、乗員の居住空間が大きく取れる。また、カップホルダー部が引出可能としたことにより、必要に応じて容器を保持できることになる。
【００２１】
請求項８に記載の発明によれば、請求項１乃至６の何れか１項に記載の発明の効果に加え、トレイには、格納式且つ可動式の第２トレイを設けたため、第２トレイを引出していれば、テーブル部の面積をそのまま有効に使用できるし、第２トレイをトレイに収納すれば、テーブル部に形成されたカップホルダー部の貫通孔が露出して容器を保持できることになる。
【００２２】
請求項９に記載の発明によれば、請求項１乃至６及び８の何れか１項に記載の発明の効果に加え、テーブル部には、車両壁面に形成されてなる係合部に係合離脱自在なるロック部材を設けたため、テーブル部を車両壁面に係合される状態を確実に保持できるので、急ブレーキや急発進など前後方向に大きな荷重が加わっても、車両壁面からテーブル部が外れにくいことになる。
【発明を実施するための最良の形態】
【００２３】
ダッシュボード付近の壁面に対して他の機能部品の使用を阻害しないテーブル装置を提供する、という目的を、テーブル装置が、車両壁面に形成されてなる取付け部と、該取付け部に着脱自在なる取付け用ブラケットと、所定の左右幅及び奥行きを有する平板状に形成されてなり且つ該取付け用ブラケットに一端部側が略水平に支持されてなるテーブル部とから構成されてなることにより実現した。以下、本発明の最良の実施形態を図面に基づいて説明する。
【実施例１】
【００２４】
図１乃至図９は、本願発明の第１実施例を示す図である。図１は、第１実施例の「車両のダッシュボード」であるインストルメントパネル１を示している。該インストルメントパネル１の後面、即ち、乗員側を向く壁面であるセンターコンソール２には、テーブル装置３が設けられている。
【００２５】
該テーブル装置３は、センターコンソール２に形成されてなる取付け部４，４と、該取付け部４，４に着脱自在なる取付け用ブラケット６，６と、左右幅及び奥行き幅が同じな真四角状であり且つ平板状に形成されてなると共に該取付け用ブラケット６，６に一端部側が略水平に支持されてなるテーブル部５とから構成されてなる。
【００２６】
該テーブル部５には、該テーブル部５の平面における約半分の大きさに形成されてなるトレイ７を位置移動自在に設けられている。該トレイ７は、周囲がフランジ７ａで囲まれていて、ジュースなどの液体がこぼれにくい形状をしていると共に裏面には、図４に示すように、後述する貫通孔１０に係合する係合部７ｂが形成されている。
【００２７】
前記テーブル部５には、容器９を支持可能なカップホルダー部８が配設されてなる。該カップホルダー部８は、容器９の側部９ａを支持可能なるように前記テーブル部５に４個形成された貫通孔１０と、前記容器９の底部９ｂを支持可能なるように前記テーブル部５にピン１１により上下回転自在に軸支され且つ容器９の重みで下方に移動可能に支持されたアーム部１２と、該アーム部１２を常時上方へ付勢した図示しない巻きスプリングとより構成されてなる。
【００２８】
前記テーブル部５は、平板状の載置部５ａと、該載置部５ａの周囲を覆うフランジ部５ｂと、前記載置部５ａの裏面側の中央部及び周囲部に配設される補強部材５ｃとよりなる。前記アーム部１２を軸支したピン１１は、該補強部材５ｃに支持されている。前記フランジ部５ｂは、ジュースなどの液体がこぼれにくいように無端的に形成されている。
【００２９】
前記取付け部４，４と取付け用ブラケット６，６とについて、説明する。前記取付け部４，４は、前記センターコンソール２に没入形成されてなるもので、その深さは、前記取付け用ブラケット６，６との関係で適宜決められる。前記取付け用ブラケット６，６は、前記フランジ部５ｂの一端部であるセンターコンソール２側より該取付け部４，４側に突出されていて、中空角柱状に形成されているが、中実でも良いし、断面形状も角柱にこだわるものではない。
【００３０】
かかるテーブル装置３について、図５に示すように、トレイ７を適宜の位置に収納して、テーブル部５を剥きだしにしてセンターコンソール２の取付け部４、４に取付け用ブラケット６，６を支持させれば、カップホルダー部８の貫通孔１０が常時露出しているので、４個の容器９を任意に支持できることになる。また、センターコンソール２に対して他の機能部品である、例えばラジオ１３や灰皿１４の使用を阻害しないことになる。該テーブル部５は、略水平に支持されてなるため、従来同様物を安定的に載せる機能を維持できる。
【００３１】
また、テーブル部５には、トレイ７を図６乃至図９に示すように、適宜位置に移動自在に設けられているため、テーブル部５とトレイ７と区別できることになり、載せた物が雑多にならず、整理整頓ができる。また、トレイ７に上に物を載せつつ任意に容器９を支持できる。
【００３２】
貫通孔１０とアーム部１２とより、前記カップホルダー部８が構成されてなるため、容器９を貫通孔１０に挿入すれば、容器９の側部９ａを貫通孔１０が支持できるので、容器９が倒れないことになる。また、常時前記テーブル部５に支持されたアーム部１２が容器９の重みで下方に移動するので、上下高さが高い容器９でもしっかりと支持できる。
【実施例２】
【００３３】
図１０及び図１１は、本発明の第２実施例を示す図で、第１実施例と主に異なる点は、テーブル部２０がヒンジ２１により左右二つ折り可能にした点である。このテーブル部２０によれば、収納時のサイズが小型化できるため、収納場所の制約条件を減らすことができる。テーブル部２０の他の構成、例えば、フランジ５ｂ、補強部材５ｃなどは、第１実施例のテーブル部５と同じであるし、第１実施例と共通する部分には同一の符号を付し、重複する説明は省略する。
【実施例３】
【００３４】
図１２及び図１３は、本発明の第３実施例を示す図で、第１実施例と主に異なる点は、テーブル部２０がヒンジ２１により左右二つ折り可能にし且つ取付け用ブラケット２５，２５が折り畳み可能とした点である。このテーブル部２０によれば、第２実施例同様、収納時のサイズが小型化できるため、収納場所の制約条件を減らすことができるばかりか、テーブル部２０から突出している取付け用ブラケット２５，２５が、ヒンジ２６により折り畳みできるので、よりサイズが小型化できる。テーブル部２０の他の構成、例えば、フランジ５ｂ、補強部材５ｃなどは、第１実施例のテーブル部５と同じであるし、第１実施例と共通する部分には同一の符号を付し、重複する説明は省略する。
【実施例４】
【００３５】
図１４は、本発明の第４実施例を示す図で、第１実施例と主に異なる点は、テーブル部３０がセンターコンソール２に指示した状態での奥行き寸法が左右寸法の半分の形状である点と、カップホルダー部３１は、テーブル部３０の下面に吊設されていて、乗員の手前側に引出可能となっている点である。このテーブル部３０によれば、センターコンソール２からの突出量が少ないので、物を載置する機能を維持しつつ、乗員の居住空間が大きく取れる利点がある。カップホルダー部３１が引出可能としたことにより、必要に応じて容器９を保持できることになる。テーブル部３０の他の構成、例えば、フランジ５ｂ、補強部材５ｃなどは、第１実施例のテーブル部５と同じであるし、第１実施例と共通する部分には同一の符号を付し、重複する説明は省略する。
【実施例５】
【００３６】
図１５乃至図１８は、本願発明の第５実施例を示す図で、第１実施例と主に異なる点は、トレイ３５に格納式且つ可動式の第２トレイ３６を設けた点である。このトレイ３５によれば、第２トレイ３６を図１６に示すように引出していれば、テーブル部５の面積をそのまま有効に使用できるし、第２トレイ３６を図１８に示すようにトレイ３５に収納すれば、テーブル部５に形成されたカップホルダー部８の貫通孔１０が露出して容器９を保持できることになる。トレイ３５の他の構成、例えば、フランジ７ａ、係合部７ｂなどは、第１実施例のトレイ７と同じであるし、第１実施例と共通する部分には同一の符号を付し、重複する説明は省略する。
【実施例６】
【００３７】
図１９乃至図２１は、本発明の第６実施例を示す図で、第１実施例と主に異なる点は、テーブル部４０にロック部材４１を設け、センターコンソール２に形成されてなる取付け部４，４の間に、該ロック部材４１が係合離脱自在なる「係合部」である貫通孔４２が形成されてなる点である。
【００３８】
このテーブル部４０は、第１実施例同様、左右幅及び奥行き幅が同じな真四角状であり且つ平板状に形成されてなると共に該取付け用ブラケット６，６に一端部側が略水平に支持されてなり、該一端部側に切り欠き部４３を設けて、該切り欠き部４３に前記ロック部材４１を配設している。該ロック部材４１は、載置部５ａの裏面に配される補強部材５ｃから上部に突出した突起４４にコイル状スプリング４５が配されてなり、該スプリング４５によって常時押し上げられる方向に付勢されたノブ４６にロック４７が貫通孔４２側に突出している。
【００３９】
従って、ノブ４６をスプリング４５に抗して押し込むと、スプリング４５が撓んでロック４７が傾き、貫通孔４２から外れる、つまり、センターコンソール２から外れることになる。該センターコンソール２に係合させる時は、前記ロック４７をセンターコンソール２の貫通孔４２に宛って差し込むことで、スプリング４５が撓んで貫通孔４２に係合できる。そして、テーブル部４０をセンターコンソール２に係合される状態を確実に保持できるので、急ブレーキや急発進など前後方向に大きな荷重が加わっても、センターコンソール２からテーブル部４０が外れにくいことになる。テーブル部４０の他の構成、例えば、フランジ５ｂ、補強部材５ｃなどは、第１実施例のテーブル部５と同じであるし、第１実施例と共通する部分には同一の符号を付し、重複する説明は省略する。
【産業上の利用可能性】
【００４０】
「車両のダッシュボード」としてインストルメントパネル１を例を示したが、サイドトリムやバックドアトリムなどでも良い。
【図面の簡単な説明】
【００４１】
【図１】本発明の第１実施例に係るインストルメントパネルとテーブル装置との関係を示す分解斜視図。
【図２】図１のインストルメントパネルにテーブル装置を組み付けた状態を示す斜視図。
【図３】図２のａ−ａ線に沿った断面図。
【図４】図２のｂ−ｂ線に沿った断面図。
【図５】図２のテーブル装置におけるテーブル部のみを示す斜視図。
【図６】図２のテーブル装置におけるテーブル部の奥側にトレイを配した状態を示す斜視図。
【図７】図２のテーブル装置におけるテーブル部の左側にトレイを配した状態を示す斜視図。
【図８】図２のテーブル装置におけるテーブル部の右側にトレイを配した状態を示す斜視図。
【図９】図２のテーブル装置におけるテーブル部の手前側にトレイを配した状態を示す斜視図。
【図１０】本発明の第２実施例に係るテーブル装置のテーブル部を示す斜視図。
【図１１】図１０のテーブル部を折りたたんでトレイを乗せる状態を示す分解斜視図。
【図１２】本発明の第３実施例に係るテーブル装置のテーブル部の取付け用ブラケットを示す斜視図。
【図１３】図１２の取付け用ブラケットを折りたたんだ状態を示す斜視図。
【図１４】本発明の第４実施例に係るテーブル装置のテーブル部とカップホルダー部との関係を示す斜視図。
【図１５】本発明の第５実施例に係るテーブル装置のトレイから第２トレイを引き出した状態を示す斜視図。
【図１６】図１５のトレイをテーブル部に乗せた状態を示す斜視図。
【図１７】図１５のトレイから第２トレイを収納させた状態を示す斜視図。
【図１８】図１７のトレイをテーブル部に乗せた状態を示す斜視図。
【図１９】本発明の第６実施例に係るインストルメントパネルの取付け部とテーブル装置との関係を示す分解斜視図。
【図２０】図１９のテーブル装置のテーブル部のロック部材を示す斜視図。
【図２１】図１９のｃ−ｃ線に沿った取付け部とテーブル装置との組み付け後の関係を示す断面図。
【符号の説明】
【００４２】
１  「車両のダッシュボード」であるインストルメントパネル
２  「壁面」であるセンターコンソール
３  テーブル装置
４  取付け部
５、２０、３０、４０  テーブル部
６、２５  取付け用ブラケット
７、３５  トレイ
８、３１  カップホルダー部
９  容器
９ａ  容器の側部
９ｂ  容器の底部
１０  カップホルダー部の貫通孔
１２  カップホルダー部のアーム部
３６  第２トレイ
４１  ロック部材
４２  「係合部」である貫通孔
【図１】
2005193855.tif 000003
【図２】
2005193855.tif 000004
【図３】
2005193855.tif 000005
【図４】
2005193855.tif 000006
【図５】
2005193855.tif 000007
【図６】
2005193855.tif 000008
【図７】
2005193855.tif 000009
【図８】
2005193855.tif 000010
【図９】
2005193855.tif 000011
【図１０】
2005193855.tif 000012
【図１１】
2005193855.tif 000013
【図１２】
2005193855.tif 000014
【図１３】
2005193855.tif 000015
【図１４】
2005193855.tif 000016
【図１５】
2005193855.tif 000017
【図１６】
2005193855.tif 000018
【図１７】
2005193855.tif 000019
【図１８】
2005193855.tif 000020
【図１９】
2005193855.tif 000021
【図２０】
2005193855.tif 000022
【図２１】
2005193855.tif 000023